(57)【要約】【課題】データを伝送するための適切なＨＡＲＱ再伝送スキームを選択するための方法、およびそのような方法のための基地局およびプログラムモジュールを提供する。【解決手段】本発明は、通信ネットワークを介して端末装置にデータを伝送するために、基地局内で適切なＨＡＲＱ（混成自動繰り返し要求）再伝送スキームを選択するための方法に関し、前記選択は、データ伝送を定める少なくとも１つのパラメータを使用して、データ伝送中に繰り返し実行される。【選択図】図１
2006246457.tif 000002
【特許請求の範囲】
【請求項１】
通信ネットワークを介して端末装置にデータを伝送するように、基地局内で適切なＨＡＲＱ（混成自動繰り返し要求）再伝送スキームを選択するための方法であって、前記選択は、データ伝送を定める少なくとも１つのパラメータを使用して、データ伝送中に繰り返し実行され、前記適切なＨＡＲＱ再伝送スキームは、データ伝送を定める前記少なくとも１つのパラメータに依存する選択関数を使用して、前記ＨＡＲＱ再伝送スキームのためのトランスポートブロックサイズを決定すること、および決定されたトランスポートブロックサイズを使用して、ＨＡＲＱ再伝送スキームのための要求される最小ＨＡＲＱバッファサイズを直接に決定することによって選択される方法。
【請求項２】
前記選択関数は、トランスポートフォーマットリソース組合せ選択関数である請求項１に記載の方法。
【請求項３】
第１のＨＡＲＱ再伝送スキームのための決定されたトランスポートブロックサイズは、第２のＨＡＲＱ再伝送スキームのための要求される最小ＨＡＲＱバッファサイズを直接に決定するのに使用される請求項１に記載の方法。
【請求項４】
第１のＨＡＲＱ再伝送スキームは、第２のＨＡＲＱ再伝送スキームのための決定された最小ＨＡＲＱバッファサイズが、事前構成されたＨＡＲＱバッファのサイズより大きい場合、トランスポートブロックの再伝送のために選択され、第２のＨＡＲＱ再伝送スキームのための決定された最小ＨＡＲＱバッファサイズが、事前構成されたＨＡＲＱバッファのサイズより小さい場合、第２のＨＡＲＱ再伝送スキームが、トランスポートブロックの再伝送のために選択される請求項１に記載の方法。
【請求項５】
前記データ伝送は、ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）において使用される高速ダウンリンクパケットアクセスを使用して達成される請求項１に記載の方法。
【請求項６】
前記第１のＨＡＲＱ再伝送スキームは、チェース結合であり、前記第２のＨＡＲＱ再伝送スキームは、増加的冗長性である請求項３に記載の方法。
【請求項７】
通信ネットワークを介して端末装置にデータを伝送するための基地局であって、データ伝送を定める少なくとも１つのパラメータを使用して、データ伝送中に適切なＨＡＲＱ再伝送スキームを繰り返し選択するための手段と、データ伝送を定める前記少なくとも１つのパラメータに依存する選択関数を使用して、前記ＨＡＲＱ再伝送スキームに関するトランスポートブロックサイズを決定すること、および決定されたトランスポートブロックサイズを使用して、ＨＡＲＱ再伝送スキームのための要求される最小ＨＡＲＱバッファサイズを直接に決定することによって、前記適切なＨＡＲＱ再伝送スキームを選択するための手段とを含む基地局。
【請求項８】
前記基地局は、データ伝送を定める前記少なくとも１つのパラメータに依存する選択関数を使用して、前記ＨＡＲＱ再伝送スキームのためのトランスポートブロックサイズを決定することにより、前記適切なＨＡＲＱ再伝送スキームを選択するための手段を含む請求項７に記載の基地局。
【請求項９】
通信ネットワークを介して端末装置にデータを伝送するための基地局内で、適切なＨＡＲＱ再伝送スキームを選択するように基地局内で実行されるプログラムモジュールであって、前記選択は、データ伝送を定める少なくとも１つのパラメータを使用して、データ伝送中に繰り返し実行され、前記適切なＨＡＲＱ再伝送スキームは、データ伝送を定める前記少なくとも１つのパラメータに依存する選択関数を使用して、前記ＨＡＲＱ再伝送スキームのためのトランスポートブロックサイズを決定すること、および決定されたトランスポートブロックサイズを使用して、ＨＡＲＱ再伝送スキームのための要求される最小ＨＡＱＲバッファサイズを直接に決定することによって選択されるプログラムモジュール。
【請求項１０】
前記適切なＨＡＲＱ再伝送スキームは、データ伝送を定める前記少なくとも１つのパラメータに依存する選択関数を使用して、前記ＨＡＲＱ再伝送スキームのためのトランスポートブロックサイズを決定することによって選択される請求項９に記載のプログラムモジュール。
【発明の詳細な説明】
【技術分野】
【０００１】
本発明は、参照により本明細書に組み込まれている優先出願欧州特許出願第０５２９０４７３．７号に基づく。
【０００２】
本発明は、通信ネットワークを介して端末装置にデータを伝送するための適切なＨＡＲＱ（混成自動繰り返し要求）再伝送スキームを選択するための方法であって、前記選択は、データ伝送を定める少なくとも１つのパラメータを使用して、データ伝送中に繰り返し実行され、前記適切なＨＡＲＱ再伝送スキームは、データ伝送を定める前記少なくとも１つのパラメータに依存する選択関数を使用して、前記ＨＡＲＱ再伝送スキームのためのトランスポートブロックサイズを決定（ｄｅｔｅｒｍｉｎｅ）すること、および決定されたトランスポートブロックサイズを使用して、ＨＡＲＱ再伝送スキームのための要求される最小ＨＡＲＱバッファサイズを直接に決定することによって選択される方法、通信ネットワークを介して端末装置にデータを伝送するための基地局であって、データ伝送を定める少なくとも１つのパラメータを使用して、データ伝送中に適切なＨＡＲＱ再伝送スキームを繰り返し選択するための手段と、データ伝送を定める前記少なくとも１つのパラメータに依存する選択関数を使用して、前記ＨＡＲＱ再伝送スキームのためのトランスポートブロックサイズを決定すること、および決定されたトランスポートブロックサイズを使用して、ＨＡＲＱ再伝送スキームのための要求される最小ＨＡＲＱバッファサイズを直接に決定することによって、前記適切なＨＡＲＱ再伝送スキームを選択するための手段とを含む基地局、および通信ネットワークを介して端末装置にデータを伝送するための基地局内で、適切なＨＡＲＱ再伝送スキームを選択するために基地局内で実行されるプログラムモジュールであって、前記選択は、データ伝送を定める少なくとも１つのパラメータを使用して、データ伝送中に繰り返し実行され、前記適切なＨＡＲＱ再伝送スキームは、データ伝送を定める前記少なくとも１つのパラメータに依存する選択関数を使用して、前記ＨＡＲＱ再伝送スキームのためのトランスポートブロックサイズを決定すること、および決定されたトランスポートブロックサイズを使用して、ＨＡＲＱ再伝送スキームのための要求される最小ＨＡＲＱバッファサイズを直接に決定することによって選択されるプログラムモジュールに関する。
【背景技術】
【０００３】
ＨＳＤＰＡ（高速ダウンリンクパケットアクセス）は、ダウンリンク、すなわち、基地局から移動局へのパケットデータに関して、より高いスペクトル効率を実現するＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）標準の拡張である。ＨＳＤＰＡは、適応変調、符号化、ならびにＵＭＴＳにおいてノードＢと呼ばれる基地局内に配置されたパケットスケジューラを使用して、スループットを最適化する。ノードＢスケジューラによる適切な変調−符号化スキームの選択は、ＵＭＴＳにおいてＵＥ（ユーザ機器）と呼ばれる端末装置によって報告されるＣＱＩ（チャネル品質インジケータ）の助けを借りて行われる。
【０００４】
ＨＳＤＰＡは、ＲＬＣ（無線リンク制御）レイヤ上、またはＴＣＰ（伝送制御プロトコル）レイヤ上などの、より高位のレイヤ上の高価な再伝送の割合を０に近く保つため、物理レイヤ上でＨＡＲＱ再伝送スキームをさらに使用する。ＵＥは、例えば、トランスポートブロックのような、受信されたデータパケットにＣＲＣ（巡回冗長符号）検査を適用し、ノードＢに対するＡＣＫ／ＮＡＣＫメッセージによって結果の確認応答を行う。トランスポートブロックに関してＮＡＣＫを受信した後、ノードＢは、そのトランスポートブロックを再伝送することを選択することができる。そのようなケースでは、ＵＥは、最良の誤り率パフォーマンスを得るために、最初のトランスポートブロックと再伝送されるトランスポートブロックのコヒーレントなソフト結合を適用する。
【０００５】
ＨＳＤＰＡは、ＨＡＲＱ再伝送スキームとして、チェース結合（Ｃｈａｓｅ  Ｃｏｍｂｉｎｉｎｇ）と増加的冗長性（Ｉｎｃｒｅｍｅｎｔａｌ  Ｒｅｄｕｎｄａｎｃｙ）をともに可能とする。
【０００６】
チェース結合では、再伝送されるトランスポートブロックは、そのトランスポートブロックの最初の伝送に関して使用されたのと全く同一の符号化されたビットセット、すなわち、同一のパンクチャリングパターンを含む。
【０００７】
増加的冗長性では、再伝送されるトランスポートブロックは、そのトランスポートブロックの最初の伝送に関して使用されたのとは、例えば、異なるパンクチャリングパターンを使用することにより、異なる符号化されたビットを含む可能性がある。次に、ソフト結合中、再伝送ごとに、追加のパリティビットがＵＥによって受信され、これにより、符号レートが低下するが、ＥＣＣ（誤り訂正符号化）スキームの誤り訂正能力も向上する。
【０００８】
チェース結合は、好ましくは、高いピークデータ転送速度を実現するために、良好なチャネル品質のケースで適用されるべきであり、劣悪なチャネル品質のケースでは、より良好な誤り率パフォーマンス、すなわち、所与の信号対雑音−干渉比に関して、より高いデータスループットのために、増加的冗長性が、好ましい。
【０００９】
最近は、いずれのＨＡＲＱ再伝送スキームが使用されるかの選択は、伝送の開始時にだけ実行され、したがって、より高いピークデータ転送速度か、またはより良好な誤り率パフォーマンスの適切な選択を実現するために、伝送中に、変化する伝送条件に基づいて対処することが不可能である。
【非特許文献１】３ＧＰＰ  ＴＳ２５．２１２標準
【非特許文献２】３ＧＰＰ  ＴＳ２５．２１４
【発明の開示】
【発明が解決しようとする課題】
【００１０】
本発明の目的は、適切なＨＡＲＱ再伝送スキームとしてチェース結合または増加的冗長性を選択するために、または、一般に、ＨＡＲＱ再伝送スキームＡまたはＨＡＲＱ再伝送スキームＢを選択するために、基地局において、伝送中に変化する伝送条件に基づいて対処する方法を提案することである。ここで、スキームＡおよびスキームＢは、前述したチェース結合および増加的冗長性に類似した２つの再伝送スキームである、すなわち、スキームＡは、例えば、あるデータ転送速度のために要求するＨＡＲＱバッファが常により少なく、このため、しばしば、所与のＨＡＲＱバッファサイズに関して、より高いピークデータ転送速度を可能にするのに対して、スキームＢは、例えば、より良好な誤り率パフォーマンスを有するものと想定する。
【課題を解決するための手段】
【００１１】
この目的は、請求項１の教示による方法、請求項８の教示による基地局、および請求項１０の教示によるプログラムモジュールによって達せられる。
【発明を実施するための最良の形態】
【００１２】
本発明の主な考え方は、トランスポートブロックの最初の伝送、または再伝送が準備される際、少なくとも１回、適切なＨＡＲＱ再伝送スキームの選択が、例えば、無線リソース（すなわち、利用可能な伝送電力、ならびに周波数または符号によって定められるチャネル）、ＣＱＩ（チャネル品質インジケータ）、構成されたＨＡＲＱバッファ、ＵＥ能力、いわゆるＴＦＲＣ（トランスポートフォーマットリソース組合せ）セットおよび／または電力オフセットのような、データ伝送を定める少なくとも１つのパラメータを使用して実行される。
【００１３】
本発明のより手の込んだ実施形態では、例えば、ＨＡＲＱ再伝送スキームＡのための、いわゆるＴＦＲＣ選択関数のような選択関数が、基地局において実行され、データ伝送を定める前述したパラメータを含む、所与のパラメータリストに関して、ＨＡＲＱ再伝送スキームＡに対応するトランスポートブロックのサイズが決定される。
【００１４】
次に、ＨＡＲＱ再伝送スキームＡのための選択関数を使用して決定された所与のトランスポートブロックサイズに関して、代替のＨＡＲＱ再伝送スキームＢに要求される最小ＨＡＲＱバッファサイズが、トランスポートブロックサイズと、代替のＨＡＲＱ再伝送スキームＢに要求される最小ＨＡＲＱバッファサイズの間の相関関係が、伝送の開始に先立って既に決定され、格納されている場合、例えばテーブルルックアップによって決定される。
【００１５】
ＨＡＲＱ再伝送スキームＢに要求される最小ＨＡＲＱバッファサイズが、構成されたＨＡＲＱバッファのサイズ、すなわち、再伝送に利用できるバッファサイズより大きい場合、ＨＡＲＱ再伝送スキームＡが、そのトランスポートブロックに関する再伝送スキームとして選択される。それ以外の場合、ＨＡＲＱ再伝送スキームＢが、そのトランスポートブロックに関する再伝送スキームとして選択される。
【００１６】
本発明のさらなる発展形態は、従属請求項、および以下の説明から知ることができる。
【００１７】
以下に、本発明を、添付の図面をさらに参照して説明する。
【００１８】
本発明を実施することができる通信ネットワークは、前記通信ネットワークおよび端末装置群を介してデータを伝送するための基地局を含む。
【００１９】
基地局は、有線接続または無線接続を介して端末装置群に接続され、基地局は、コアネットワークを介して、制御デバイスに、ゲートウェイを介して、例えば、インターネット、または移動ネットワークまたは固定ネットワークのような、さらなるネットワーク内に位置する端末装置群またはサーバ群のようなデバイス群に、さらに接続されることが可能である。また、通信ネットワーク内に含まれることが可能な、さらなる基地局群が、コアネットワークを介して互いに、かつ／または前記基地局に接続されることが可能である。
【００２０】
端末装置は、ＵＭＴＳ電話またはＩＳＤＮ電話（ＩＳＤＮ＝デジタル統合サービス網）のためのセル電話のような、移動ネットワークまたは固定ネットワークのための慣用の端末装置である。
【００２１】
好ましい実施形態では、端末装置は、ＨＳＤＰＡデータを受信することができるＵＭＴＳのためのセル電話である。
【００２２】
基地局は、端末装置およびコアネットワークにデータを送信するため、ならびに端末装置およびコアネットワークからデータを受信するためのトランシーバの機能を含む。さらに、基地局は、ＨＡＲＱ再伝送スキームによる、例えば、誤り符号化または再伝送のような誤り処理のための手段を含む。本発明によれば、基地局は、データ伝送を定める少なくとも１つのパラメータを使用して、データ伝送中に適切なＨＡＲＱ再伝送スキームを繰り返し選択するための手段をさらに含む。
【００２３】
さらなる実施形態では、基地局は、データ伝送を定める前記少なくとも１つのパラメータに依存する選択関数を使用して、前記ＨＡＲＱ再伝送スキームのためのトランスポートブロックサイズを決定することにより、前記適切なＨＡＲＱ再伝送スキームを選択するための手段を含む。
【００２４】
さらなる実施形態では、前記選択関数は、いわゆるＴＦＲＣ（トランスポートフォーマットリソース組合せ）選択関数である。
【００２５】
好ましい実施形態では、基地局は、ＵＭＴＳにおけるＨＳＤＰＡのためのノードＢである。
【００２６】
以下に、例として、本発明による方法を、図１を参照して詳細に説明する。
【００２７】
以下に説明する実施例では、通信ネットワークは、ＵＭＴＳネットワークであり、このネットワークのための基地局は、いわゆるノードＢであり、端末装置は、いわゆるＵＥ（ユーザ機器）である。
【００２８】
ＨＳＤＰＡの特徴は、ＵＭＴＳネットワーク内部で実施される。すなわち、ノードＢはＨＳＤＰＡデータを送信可能であり、ユーザ機器はそのようなＨＳＤＰＡデータを受信可能である。
【００２９】
既に前述したとおり、ＨＳＤＰＡは、ＨＡＲＱ再伝送スキームとしてチェース結合および増加的冗長性を許し、これら２つのスキームは、ノードＢ内部、およびユーザ機器内部で実施される。
【００３０】
この２つの再伝送スキームのいずれでも、符号の数、変調スキーム、すなわち、ＱＰＳＫ（４位相偏移変調）または１６ＱＡＭ（１６  Ｑｕａｄｒａｔｕｒｅ  Ａｍｐｌｉｔｕｄｅ  Ｍｏｄｕｌａｔｉｏｎ）、および再伝送の合間に伝送電力を適応させることが可能である。増加的冗長性は、誤り率パフォーマンスに関して、通常、チェース結合よりパフォーマンスが優れているのに対して、チェース結合は、より高いピークデータ転送速度を提供するものと考えることができる。
【００３１】
以上のＨＡＲＱ再伝送スキームを実施するのに、ノードＢトランシーバベースバンド処理は、３ＧＰＰ  ＴＳ２５．２１２標準で詳細に説明される以下のビルディングブロックを使用する。ＣＲＣ（巡回冗長検査）付加、ならびに１／３という固定符号レートを有するターボ符号化を、ノードＢからユーザ機器に送信されなければならないトランスポートブロックに適用した後、第１のレートマッチング段階が、符号化されたトランスポートブロックのサイズを、パンクチャリングを行うことにより、ＨＡＲＱバッファの中に入るように小さくする。第２のレートマッチング段階は、符号化されたブロックのサイズをパンクチャリングによって小さくするか、または繰り返しを使用して大きくして、拡散率、符号の数、および変調スキームによって与えられる物理チャネルリソースに合うようにする。ＨＡＲＱバッファのサイズは、半静的な形で構成され、すなわち、ノードＢにおいて構成されたＨＡＲＱバッファサイズは、ソフト結合を実行するためにＵＥにおいて利用可能なＨＡＲＱバッファサイズと合致する。
【００３２】
ＨＡＲＱバッファのサイズは、スケジューリング決定において考慮されなければならず、すなわち、ＨＡＲＱバッファサイズは、パケット伝送のために使用することができる可能な最大トランスポートブロックサイズに制限を課す。所与のＨＡＲＱバッファサイズに関して、通常、最大トランスポートブロックサイズ、すなわち、伝送されることが可能な最大ピークデータ転送速度は、チェース結合の場合の方が、増加的冗長性の場合よりも大きく、つまり、所与のトランスポートブロックサイズに関して、チェース結合、すなわち、ＨＡＲＱ再伝送スキームＡのための要求される最小ＨＡＲＱバッファサイズは、増加的冗長性、すなわち、ＨＡＲＱ再伝送スキームＢのための要求される最小ＨＡＲＱバッファサイズより、通常、小さい。この実施例では、０．７という有効符号レート（Ｒｅｆｆ）が使用されるものと想定し、０．７は、ＨＳＤＰＡに関して使用されるとおり、１／３というレートでターボ符号にパンクチャリングを行うことによって得られる通常の値である。
【００３３】
チェース結合では、符号レートは、第１のレートマッチング段階の後、０．７であることが可能であり、第２のレートマッチング段階は、トランスペアレントであることが可能である。したがって、所与のトランスポートブロックサイズに関して、ＨＡＲＱバッファサイズは、トランスポートブロックサイズを有効符号レートで割った商以上でなければならず、これにより、結果として、トランスポートブロックサイズの１．４３倍が与えられる。
【００３４】
増加的冗長性では、パケット伝送の間で有効パンクチャリングパターンを変更する可能性が存在しなければならない。これは、第２のレートマッチング段階において異なるパンクチャリングを使用することによって達せられ、すなわち、第１のレートマッチング段階が、十分なパリティビットを残さなければならない。極端なケースでは、すべてのパリティビットが、第２のレートマッチング段階で利用可能であり、そのケースでは、ＨＡＲＱバッファサイズは、トランスポートブロックサイズの３倍以上でなければならない。
【００３５】
以上の実施例から、良好なチャネル品質のケースでは、高いピークデータ転送速度を実現するために、チェース結合が、好ましくは、適用されるべきであり、劣悪なチャネル品質のケースでは、より良好な誤り率パフォーマンスのために、増加的冗長性が好ましいと結論づけることができる。
【００３６】
例えば、無線リソース（電力および符号）；ＣＱＩ（チャネル品質インジケータ）によって判定されるチャネル品質；合計ＵＥソフトバッファをＨＡＲＱプロセスの数（通常、２から６までの数）で割ったサイズにしばしば等しい、構成されたＨＡＲＱバッファサイズ；ＵＥの利用可能なソフトバッファを決めるＵＥ能力；例えばＭＰＯ（測定電力オフセット、３ＧＰＰ  ＴＳ２５．２１４参照）のような電力オフセット；トランスポートブロックサイズを含む、可能なＴＦＲＣ（トランスポートフォーマットリソース組合せ）、チャネル化符号の数、変調スキーム、ならびにＴＦＲＣで目標誤り率を達するのに要求される伝送電力のセットなどのような、最適なＨＡＲＱ再伝送スキームの選択に影響を与える多くのパラメータが存在する。
【００３７】
本発明の一実施形態では、最適なＨＡＲＱ再伝送スキームの選択に影響を与える前記パラメータ群の少なくとも１つのパラメータを使用して、データ伝送中に適切なＨＡＲＱ再伝送スキームが繰り返し選択される。これは、トランスポートブロックの最初の伝送の前、および／またはそのトランスポートブロックの少なくとも１回の再伝送の前に行われることが可能である。選択は、データ伝送の条件が急速に変化するケースでは、より頻繁に実行されることが可能である。
【００３８】
また、それらのパラメータは、いわゆるＴＦＲＣ選択関数によって、同一のトランスポートブロックサイズを使用するトランスポートブロックの最初の伝送、または再伝送のために適切なＴＦＲＣを選択するのに使用される。
【００３９】
ノードＢからユーザ機器へのトランスポートブロックの最初の伝送に誤りがあった場合、ユーザ機器は、例えば、ＮＡＣＫを送信することにより、ノードＢからのトランスポートブロックの再伝送を要求する。トランスポートブロックの最初の伝送の前に、ＨＡＲＱ再伝送スキームとしてのチェース結合のためのＴＦＲＣ（トランスポートフォーマットリソース組合せ）選択関数が、ノードＢにおいて実行され、無線リソース、ＣＱＩ（チャネル品質インジケータ）、構成されたＨＡＲＱバッファ、ＵＥ能力、ＴＦＲＣセット、電力オフセットなどを含む、所与のパラメータリストに関して、トランスポートブロックサイズが、その選択の結果として得られる。
【００４０】
別の実施形態では、ＨＡＲＱ再伝送スキームとしてのチェース結合のためのＴＦＲＣ（トランスポートフォーマットリソース組合せ）選択関数が、トランスポートブロックの少なくとも１回の再伝送の前に、ノードＢにおいて実行されて、データ伝送の条件が急速に変化するケースでも、ＨＡＲＱ再伝送スキームの適切な選択が得られる。
【００４１】
代替のＨＡＲＱ再伝送スキームとしての増加的冗長性に要求される最小ＨＡＲＱバッファサイズは、トランスポートブロックサイズとＨＡＲＱバッファサイズの間の前述した相関関係によって計算されることが可能である。
【００４２】
チェース結合と増加的冗長性の両方に関して、ＨＡＲＱ再伝送スキームとしてのチェース結合のためのＴＦＲＣ選択関数によって得られたトランスポートブロックサイズを、トランスポートブロックをフォーマットする、または組み立てるために使用することができる。これは、第１のレートマッチング段階が入力としてトランスポートブロック、および構成されたＨＡＲＱバッファサイズを使用するので、すなわち、第１のレートマッチング段階に関する入力がチェース結合の場合と増加的冗長性の場合で同一であるので、可能である。
【００４３】
好ましい実施形態では、所与のトランスポートブロックサイズに関して、代替のＨＡＲＱ再伝送スキームとしての増加的冗長性に要求される最小ＨＡＲＱバッファサイズは、例えば、最小ＨＡＲＱバッファサイズの計算よりも速く実行されることが可能なテーブルルックアップによって特定される。この目的で、トランスポートブロックサイズと、増加的冗長性のための最小ＨＡＲＱバッファサイズの間の相関関係が、伝送の開始より前に計算され、ノードＢ内のテーブルの中に格納されている。
【００４４】
別の実施形態では、ＨＡＲＱ再伝送スキームとしての増加的冗長性が、ＴＦＲＣ選択関数によってトランスポートブロックサイズを決定するのに使用され、代替のＨＡＲＱ再伝送スキームとしてのチェース結合に要求される最小ＨＡＲＱバッファサイズが、例えば、前述した手続きに類似するテーブルルックアップによって決定される。
【００４５】
図１に、トランスポートブロックサイズと最小ＨＡＲＱバッファサイズの間の相関関係を示す、そのようなテーブルが示されている。第１の列では、トランスポートフォーマットリソース組合せ、ＴＦＲＣのインデックスが与えられ、第２の列では、ＴＦＲＣインデックスに対応する、ビット単位のトランスポートブロックサイズ、ＴＢＳが与えられ、第３の列では、ＨＡＲＱ再伝送スキームとしてのチェース結合を使用するトランスポートブロックの伝送および再伝送に必要とされる、ビット単位の最小ＨＡＲＱバッファサイズ、ｍｉｎＨａｒｑＳｉｚｅ＿Ａが与えられ、第４の列では、ＨＡＲＱ再伝送スキームとしての増加的冗長性を使用するトランスポートブロックの伝送および再伝送に必要とされる、ビット単位の最小ＨＡＲＱバッファサイズ、ｍｉｎＨａｒｑＳｉｚｅ＿Ｂが与えられ、第５の列では、以下に説明する選択規則に従って選択されるＨＡＲＱ再伝送スキームが与えられる。
【００４６】
再伝送のためのＨＡＲＱ再伝送スキームの選択を行うのに準拠する、この実施例における選択規則は、ＨＡＲＱ再伝送スキームとしての増加的冗長性を使用するトランスポートブロックの伝送および再伝送のために必要とされる最小ＨＡＲＱバッファサイズ、ｍｉｎＨａｒｑＳｉｚｅ＿Ｂが、構成されたＨＡＲＱバッファサイズより大きい場合、ＨＡＲＱ再伝送スキームとしてのチェース結合が選択され、そうではない場合、ＨＡＲＱ再伝送スキームとしての増加的冗長性が選択される。前述したとおり、これは理にかなっている。というのは、増加的冗長性は、チェース結合と比べて、より良好な誤り率パフォーマンスを示し、したがって、十分な構成されたＨＡＲＱバッファが存在する場合にはいつでも、使用されるべきだからである。以上の形で選択されたＨＡＲＱ再伝送スキームが、トランスポートブロック、ＴＢＳの再伝送のために使用される。
【００４７】
図１に示した実施例では、インデックスｎを有するトランスポートフォーマットリソース組合せ、ＴＦＲＣが、４６６４ビットというトランスポートブロックサイズ、ＴＢＳを含む。チェース結合のためのＴＦＲＣ選択関数を使用して得られたトランスポートブロックサイズ、ＴＢＳのうち、チェース結合のための要求される最小ＨＡＲＱバッファサイズ、ｍｉｎＨａｒｑＳｉｚｅ＿Ａ、および増加的冗長性のための要求される最小ＨＡＲＱバッファサイズ、ｍｉｎＨａｒｑＳｉｚｅ＿Ｂが特定される。この実施例における、構成されたＨＡＲＱバッファのサイズは、１５０００ビットであり、増加的冗長性のための最小ＨＡＲＱバッファサイズ、ｍｉｎＨａｒｑＳｉｚｅ＿Ｂは、１４０７６ビットであり、したがって、構成されたＨＡＲＱバッファのサイズより小さいので、増加的冗長性が、ＨＡＲＱ再伝送スキームとして選択される。しかし、インデックスｍを有するトランスポートフォーマットリソース組合せ、ＴＦＲＣのケースでは、増加的冗長性のための最小ＨＡＲＱバッファサイズ、ｍｉｎＨａｒｑＳｉｚｅ＿Ｂは、２９７７８ビットであり、したがって、構成されたＨＡＲＱバッファのサイズより大きく、したがって、チェース結合が、ＨＡＲＱ再伝送スキームとして選択される。
【００４８】
もちろん、例えば、トランスポートブロックサイズを閾値と単純に比較するような、再伝送のためのＨＡＲＱ再伝送スキームをトランスポートブロックサイズによって選択するのに準拠する、他の選択規則も可能である。
【００４９】
前述したＴＦＲＣ（トランスポートフォーマットリソース組合せ）選択関数は、トランスポートブロックサイズを決定することによって適切なＨＡＲＱ（混成自動繰り返し要求）再伝送スキームを選択するための、データ伝送を定める少なくとも１つのパラメータに依存する任意の種類の選択関数の一実施例に過ぎない。
【００５０】
また、前述したＨＡＲＱ再伝送スキームとしてのチェース結合および増加的冗長性は、データ伝送を定める少なくとも１つのパラメータに従って選択されることが可能な、任意の種類のＨＡＲＱ再伝送スキームの実施例に過ぎない。
【００５１】
適切なＨＡＲＱ再伝送スキームを選択するための前述した方法は、ＵＭＴＳシステムに限定されず、例えば、ＯＦＤＭ伝送（ＯＦＤＭ＝直交周波数分割多重化）を使用するＷＬＡＮネットワーク（ＷＬＡＮ＝無線ローカルエリアネットワーク）においてのように、他の通信ネットワークにおいても実行することができる。
【図面の簡単な説明】
【００５２】
【図１】トランスポートブロックサイズと最小ＨＡＲＱバッファサイズの間の相関関係を示すテーブルである。
【図１】
2006246457.tif 000003
【外国語明細書】
2006246457.tif 000004
2006246457.tif 000005
2006246457.tif 000006
2006246457.tif 000007
2006246457.tif 000008
2006246457.tif 000009
2006246457.tif 000010
2006246457.tif 000011
2006246457.tif 000012
2006246457.tif 000013
2006246457.tif 000014
2006246457.tif 000015
2006246457.tif 000016
2006246457.tif 000017
2006246457.tif 000018
2006246457.tif 000019
2006246457.tif 000020
2006246457.tif 000021